(57)【要約】      （修正有）【課題】盆栽が必要とする水分を自動的に、かつ長期的に供給し、盆栽土壌の湿潤状態を長期に維持可能な盆栽盆構造を提供する。【解決手段】第一盆体１０に、第二盆体２０が収納され、第二盆体２０の底面に、下方へ向かうカバー２２が設けられ、カバー２２が、カバー開口２２１を有し、カバー開口２２１の開口が、第一盆体の突縁１３１と、隔離状態に保持されて隙間が形成される。上記構造により、貯水する時、貯水可能と自動排水可能のシール空間が形成され、上記の構造で、水が吸熱して気体に蒸発し、体積が膨張して正圧が形成される水蒸気が、盆外へ溢さなく根部の土壌へ送られて、土壌を濡らし、自動的に盆栽に必要とする水分を供給する。【選択図】図２
0003181899.tif 000002
【実用新案登録請求の範囲】
【請求項１】
第一盆体と第二盆体とからなる環境保護節水型盆栽盆構造であって、
第一盆体は、上方へ開口する収納室があり、収納室の開口面に、少なくとも一つの排水孔が設けられ、排水孔の周縁から、少なくとも一つの、上方へ伸びる突縁が形成され、
第二盆体は、第一盆体の収納室に収納され、上方へ開口する収納空間があり、収納空間の開口内に、少なくとも、一つの第一盆体に連通する貫通孔が設けられ、底面において、少なくとも、一つの、下方へ向かうカバーが設けられ、カバーに、カバー開口があり、カバー開口と第一盆体の突縁とが、隔離状態に保持されて隙間が形成される
ことを特徴とする環境保護節水型盆栽盆構造。
【請求項２】
第一盆体と第二盆体とからなる盆栽盆であって、第一盆体は、上方へ開口する収納室があり、収納室の開口面に、少なくとも一つの排水孔が設けられ、排水孔の周縁から、少なくとも一つの上方へ伸びる突縁が形成され、
第二盆体は、本体と少なくとも一つのカバーがあり、上記カバーに、少なくとも一つのカバー開口があり、上記本体が、第一盆体の収納室に収納され、また、上記本体に、上方へ開口する収納空間があり、収納空間の開口内に、少なくとも一つの第一盆体に連通する貫通孔が設けられ、カバーが、第一盆体の排水孔の上方に設置され、上記カバーが、第一盆体の突縁と、隔離状態に保持されて隙間が形成される
ことを特徴とする環境保護節水型盆栽盆構造。
【請求項３】
第二盆体中の収納空間の開口縁が、階段を形成するように拡大し、第二盆体と第一盆体との収納室が、隔離状態に保持されて、中間層が形成されることを特徴とする請求項１に記載の環境保護節水型盆栽盆構造。
【請求項４】
第一盆体と第二盆体とが、螺着により組立てられ、或いは、係止により組立てられ、或いは、係合により組立てられることを特徴とする請求項１又は２に記載の環境保護節水型盆栽盆構造。
【請求項５】
第一盆体と第二盆体との間に、輪形てん材が挟まれて設けられることを特徴とする請求項１に記載の環境保護節水型盆栽盆構造。
【請求項６】
第二盆体の貫通孔が、収納空間の開口面や開口周縁に設けられることを特徴とする請求項１又は２に記載の環境保護節水型盆栽盆構造。
【請求項７】
第二盆体のカバー開口の深さが、収納空間の開口面より、突出し、第一盆体の突縁の高さが、カバー開口の深さに対応することを特徴とする請求項１に記載の環境保護節水型盆栽盆構造。
【請求項８】
第一盆体の突縁において、内周に、調整管が螺合されるためのメスねじが、設けられることを特徴とする請求項１に記載の環境保護節水型盆栽盆構造。
【請求項９】
第一盆体において、開口端縁の近くに当接縁が設けられ、当接縁に、上方へ向かって大きくなり、中央に貫通孔が形成される当接板が設けられることを特徴とする請求項２に記載の環境保護節水型盆栽盆構造。
【請求項１０】
第二盆体において、底面に、一組の嵌設孔があり、管状体であるカバーが、第二盆体の嵌設孔にロックが挿設されることを特徴とする請求項２に記載の環境保護節水型盆栽盆構造。
【考案の詳細な説明】
【技術分野】
【０００１】
本考案は、節水型の盆栽盆構造に関するものであり、さらに詳しくは、水の吸熱蒸発の自然原理を利用する環境保護に有用な節水型盆栽盆構造に関するものである。
【背景技術】
【０００２】
各種の盆栽を育てることは、眺めて楽しむことができることに加えて、生活環境を緑化するという利点が得られるために、多くの愛好者によって広く行なわれている。しかし、現代の生活において、盆栽をタイムリーに世話する時間がなく、即時に水を掛けて盆栽の土壌に十分な含水量を供給することができず、盆栽が、水不足で枯れてしまうことが多い。自動的に水分を供給できる盆栽構造があり、盆栽土壌を、長期的に湿潤状態に維持することができれば、ユーザーが、常に土壌含水量に注意しなくても、盆栽が水不足で枯れるようなことがない筈であるが、従来、かかる問題点を解消し、自動的に供水可能な盆栽盆は実現していない。
特開２０１０-６３４４８号（特許文献１）には、家庭で家人が旅行等で不在でも、盆栽や植木鉢内の植物に水を長期間自動的に供給する装置が記載されているが、実用化するには、構造においてもさらに改良すべき点が残されている。
【特許文献１】実開２０１０-６３４４８号公報
【考案の概要】
【考案が解決しようとする課題】
【０００３】
従って、本考案の課題は、盆栽が必要とする水分を自動的に、かつ長期的に供給し、盆栽土壌の湿潤状態を長期に維持可能な盆栽盆構造を提供することにある。
【課題を解決するための手段】
【０００４】
そこで、本考案者は、前記の本考案の課題を解決するため鋭意検討を重ねた結果、盆栽盆と第一盆体と第二盆体に分割し、第一盆体の収納室に貯蔵された水により形成された水蒸気を第二盆体に供給し、盆栽土壌を湿潤し、凝縮した水を循環させることにより、前記課題を解決できることに着目し、かかる知見に基いて本考案に想到した。
【０００５】
すなわち、本考案の目的は、環境保護節水型盆栽盆構造を提供し、水の吸熱蒸発の自然原理を利用して、第一盆体の収納室に貯蔵された水により、水蒸気が形成されて上方へ送られて、土壌を濡らし、自動的に盆栽に必要とする水分を供給でき、第一盆体に貯蔵された水が、蒸発して凝縮する循環を繰り返して、長期に自動的に盆栽へ水分を供給する効果が得られ、また、盆栽の土壌が、長期に、湿潤状態に維持され、盆栽が、水不足で枯れてしまうことを防止することにある。
【０００６】
かくして、請求項１の考案によれば、
第一盆体と第二盆体とからなる環境保護節水型盆栽盆構造であって、
第一盆体は、上方へ開口する収納室があり、収納室の開口面に、少なくとも一つの排水孔が設けられ、排水孔の周縁から、少なくとも一つの、上方へ伸びる突縁が形成され、
第二盆体は、第一盆体の収納室に収納され、上方へ開口する収納空間があり、収納空間の開口内に、少なくとも、一つの第一盆体に連通する貫通孔が設けられ、底面において、少なくとも、一つの、下方へ向かうカバーが設けられ、カバーに、カバー開口があり、カバー開口と第一盆体の突縁とが、隔離状態に保持されて隙間が形成される
ことを特徴とする環境保護節水型盆栽盆構造が提供される。
【０００７】
請求項２の考案によれば、
第一盆体と第二盆体とからなる盆栽盆であって、第一盆体は、上方へ開口する収納室があり、収納室の開口面に、少なくとも一つの排水孔が設けられ、排水孔の周縁から、少なくとも一つの上方へ伸びる突縁が形成され、
第二盆体は、本体と少なくとも一つのカバーがあり、上記カバーに、少なくとも一つのカバー開口があり、上記本体が、第一盆体の収納室に収納され、また、上記本体に、上方へ開口する収納空間があり、収納空間の開口内に、少なくとも一つの第一盆体に連通する貫通孔が設けられ、カバーが、第一盆体の排水孔の上方に設置され、上記カバーが、第一盆体の突縁と、隔離状態に保持されて隙間が形成される
ことを特徴とする環境保護節水型盆栽盆構造が提供される。
【０００８】
請求項３の考案によれば、
第二盆体中の収納空間の開口縁が、階段を形成するように拡大し、第二盆体と第一盆体との収納室が、隔離状態に保持されて、中間層が形成されることを特徴とする請求項１に記載の環境保護節水型盆栽盆構造が提供される。
【０００９】
請求項４の考案によれば、
第一盆体と第二盆体とが、螺着により組立てられ、或いは、係止により組立てられ、或いは、係合により組立てられることを特徴とする請求項１又は２に記載の環境保護節水型盆栽盆構造が提供される。
【００１０】
請求項５の考案によれば、
第一盆体と第二盆体との間に、輪形てん材が挟まれて設けられることを特徴とする請求項１に記載の環境保護節水型盆栽盆構造が提供される。
【００１１】
請求項６の考案によれば、
第二盆体の貫通孔が、収納空間の開口面や開口周縁に設けられることを特徴とする請求項１又は２に記載の環境保護節水型盆栽盆構造が提供される。
【００１２】
請求項７の考案によれば、
第二盆体のカバー開口の深さが、収納空間の開口面より、突出し、第一盆体の突縁の高さが、カバー開口の深さに対応することを特徴とする請求項１に記載の環境保護節水型盆栽盆構造が提供される。
【００１３】
請求項８の考案によれば、
第一盆体の突縁において、内周に、調整管が螺合されるためのメスねじが、設けられることを特徴とする請求項１に記載の環境保護節水型盆栽盆構造が提供される。
【００１４】
請求項９の考案によれば、
第一盆体において、開口端縁の近くに当接縁が設けられ、当接縁に、上方へ向かって大きくなり、中央に貫通孔が形成される当接板が設けられることを特徴とする請求項２に記載の環境保護節水型盆栽盆構造が提供される。
【００１５】
請求項１０の考案によれば、
第二盆体において、底面に、一組の嵌設孔があり、管状体であるカバーが、第二盆体の嵌設孔にロックが挿設されることを特徴とする請求項２に記載の環境保護節水型盆栽盆構造が提供される。
【考案の効果】
【００１６】
本考案は、前記の通りの構成からなり、後述するように、水の蒸発および水蒸気の凝縮のサイクルを利用することから、植物に対し長期間安定的に給水することができ、盆栽の土壌を長期間にわたり、湿潤状態に維持することができる。
【考案を実施するための最良の形態】
【００１７】
以下、図面に示すように、本考案の特徴や技術内容について、詳しく説明するが、それらの図面等は、参考や説明のためであり、本考案は、それらによって限定されるものではない。
【００１８】
図１乃至図３に示すように、本考案は、第一盆体１０と第二盆体２０とが備えられ、上記第一盆体１０の材質が、金属やプラスチック或いはセラミックであり、異なる比熱比を有し、盆体外観の色で、その吸収熱輻射の速度が変化し、また、材質や外観色で、内部水蒸気の揮発速度が調整される。上記第一盆体１０は、上方へ開口する収納室１１があり、収納室１１の周縁が、透明状であってもよく、これにより、収納室１１内部の水位高さを観察できる。上記収納室１１において、開口端縁に、メスねじを有する組合せ段１２が形成される。上記収納室１１において、開口面に、排水孔１３が貫設され、排水孔１３の周縁において、上方へ延びる突縁１３１が設けられる。突縁１３１の周縁に、リング状に、若干の強化リブ１３２が設けられる。上記第一盆体１０において、盆底面に支持縁１４が伸び、支持縁１４において、間隔に、若干の欠け口１４１が形成され、排水の機能が発揮される。第二盆体２０が、第一盆体１０の収納室１１に設置され、上記第二盆体２０には、上方へ開口する収納空間２１があり、収納空間２１の開口縁に、階段２１１を形成するように拡大し、これにより、第二盆体２０の収納空間２１と第一盆体１０の収納室１１とが、隔離して保持されて、中間層２１２が形成される。上記階段２１１において、外周に、雄ネジがある結合段２１３が形成される。結合段２１３が、第一盆体１０の組合せ段１２に組立てられ、上記結合段２１３から、盆縁２１４が伸びて、結合段２１３と盆縁２１４との間に、当接面２１５が形成される。当接面２１５が、第一盆体１０の開口端縁に当接し、上記収納空間２１において、開口内（例えば、開口面や開口周囲）にリング状に一つ又は多数の貫通孔２１６が形成される。
【００１９】
また、第二盆体２０において、底面から下方へカバー２２が伸び、カバー２２が、カバー開口２２１を有し、カバー開口２２１の開口と第一盆体１０の突縁１３１とが、隔離状態で保持されて隙間２３が形成される。
【００２０】
本考案によれば、図２と図３のように、まず、第二盆体２０を第一盆体１０の収納室１１に設置し、第二盆体２０の結合段２１３を、第一盆体１０の組合せ段１２に組合せ、そのため、第二盆体２０の当接面２１５が、第一盆体１０の開口端縁に当接し、これにより、組立てが終了する。また、本実施例において、第二盆体２０の結合段２１３と第一盆体１０の組合せ段１２とが、螺着によって結合される。また、第二実施例においては、第二盆体２０を第一盆体１０の開口端縁に掛け、結合段２１３と組合せ段１２とにより、図６に示すように、輪形てん材１２１が挟まれて設けられる。これにより、第一盆体１０と第二盆体２０との間のシール性が向上し、また、第三実施例において、図７および図１３に示すように、第一盆体１０の組合せ段１２と第二盆体２０の結合段２１３とが、係合により結合される。
【００２１】
本考案によれば、図４のように、第二盆体２０の収納空間２１に盆栽が植えられる場合、水を掛けて、収納空間２１にある土壌の含水量が、飽和になると、余剰の水分が、第二盆体２０の貫通孔２１６から、第一盆体１０の収納室１１へ流出して、その水を貯蔵し、貯蔵された水の水位が高すぎると、盆栽の生長に害があるため、余剰の水が、隙間２３を経由して、第一盆体１０の突縁１３１に越えて、盆底の欠け口１４１から外部へ排出され、貯水量を調節する目的が達成される。
【００２２】
また、図５のように、陽光が照射する時や室温が高くなる時、水吸熱蒸発の自然原理を利用して、第一盆体１０の収納室１１に貯蔵された水が、水蒸気になって、上方へ送られ、また、第二盆体２０の開口内（例えば、開口面や開口周囲）の貫通孔２１６から、第二盆体２０の収納空間２１に入り、水蒸気が、比較的に低い温度の土壌に遇うと、冷卻により、液体に凝縮されて、土壌を濡らし、自動的に盆栽に必要とする水分を供給する。これにより、第一盆体１０に貯蔵された水が、蒸発して凝縮する循環を繰り返し、長期に、自動的に、盆栽に対して水分を供給する目的が実現する。そのため、盆栽の土壌が、長期に、湿潤状態に維持されて、盆栽が、水不足で枯れることを防止でき、盆栽植えの便利性が向上する。また、第二盆体２０のカバー２２が、突縁１３１の周囲に被覆されるため、水を貯蔵する時、第一盆体１０が、閉鎖状態になり、第二盆体２０の収納空間２１にある土壌の水分が蒸発した時、正圧により、第一盆体１０の収納室１１にある水蒸気が、上方へ送られ、盆栽土壌を濡らす効率が向上する。また、収納空間２１の開口縁において、拡大した階段２１１が形成され、これにより、第二盆体２０と第一盆体１０との間において、水蒸気を流通させるための中間層２１２が形成され、水蒸気が、第二盆体２０の開口内（例えば、開口面や開口周囲）にある貫通孔２１６から、第二盆体２０の収納空間２１へ入り、土壌と水蒸気との接触面積が増加し、より平均的に、土壌を濡らすことができる。
【００２３】
また、図８は、第四実施例を示すものであり、第二盆体２０のカバー開口２２１の深さが、収納空間２１の開口面よりも高くなり、また、第一盆体１０の突縁１３１の高さが、カバー開口２２１の深さに対応するため、第一盆体１０の貯水の高さが増加し、水生植物の根部が、水に浸入することができ、盆栽構造の適用性が、更に向上する。
【００２４】
図９と図１０は、第五実施例を示すものであり、第一盆体１０の突縁１３１において、内周に、メスねじ１３３が形成され、それに、伸縮変位可能の調整管１５が螺合する。また、第二盆体２０のカバー開口２２１の開口面が、第一盆体１０の突縁１３１の端縁と、隔離に維持されてギャップ２４が形成され、そのため、調整管１５の変位で、ギャップ２４を増大又は縮小することができ、これにより、必要に応じて、第一盆体１０の貯貯水位や貯水量を変化でき、使用上の便利性が向上する。
【００２５】
図１１と図１２は、第六実施例を示すものであり、第二盆体２０が、一体成形からなり（例えば、図１乃至図１０のように）、或いは、本体２とカバー２２０を別々に作製し、カバー２２０の内周に、リング状に定位リブ２２２が形成される。これにより、カバー２２０のカバー開口２２１が、第一盆体１０の突縁１３１と、隔離に保持でき、また、上記カバー２２０の開口端縁に、間隔的に設置された支持ピン２２３があり、支持ピン２２３が、第一盆体１０の収納室１１の開口面に当接し、そのため、第一盆体１０の収納室１１とカバー２２０との隙間２３が、連通するように維持される。
【００２６】
また、図１４は、第七実施例であり、第一盆体１０において、組合せ段１２の近くに当接縁１２２が設けられ、当接縁１２２に、当接板１６が設置され、当接板１６が、上方へ拡大するようになり、また、中央に、貫通孔１６１があり、これにより、盆栽が転倒や傾斜しても、当接板１６の板により、第一盆体１０の貯水が、第二盆体２０の土壌に滲入することなく（図１５のように）、使用上の便利性が向上する。
【００２７】
また、図１６と図１７は、第八実施例であり、第二盆体２０が、一体成形からなり（図１乃至図１０のように）、或いは、本体２とカバー２２０を別々に作製し、上記本体２において、底面に、一組の嵌設孔２１７が形成され、カバー２２０が、管状体で、ロックや挿設により、嵌設孔２１７に組合せられ、これにより、第二盆体２０が、カバー２２０で、第一盆体１０の突縁１３１の周囲に被覆でき、これにより、第一盆体１０が貯水する時、シール状態になる。
【００２８】
上記の具体的な実施例の構造によれば、下記の利点が得られ、陽光が照射する時や室温が高くなる時、水吸熱蒸発の自然原理を利用して、第一盆体１０の収納室１１により形成されたシール空間に、貯蔵された水が、水蒸気になり、植物の根部へ送られ、また、第二盆体２０開口面にある貫通孔２１６を経由して、第二盆体２０の収納空間２１に入り、水蒸気が、温度のやや低い土壌に遇うと、冷卻されて元の液体に凝縮し、土壌を濡らし、自動的に盆栽に必要とする水分を供給し、これにより、第一盆体１０に貯蔵された水が、蒸発して凝縮する循環が繰り返される。その結果、長期に、自動的に盆栽に水分を供給する目的が実現し、また、盆栽の土壌が、長期に、湿潤状態に保持され、盆栽が水不足により枯れることなく、盆栽植えの利便性が向上する。
【００２９】
以上の説明は、本考案のより良い実施例であり、本考案は、それらによって限定されるものではなく、本考案に係わる実用新案登録請求の範囲や明細書の内容に基づいて行った等価の変更や修正は、全てが、本考案の範囲内に含まれる。
【図面の簡単な説明】
【００３０】
【図１】本考案の一実施形態による盆栽盆構造の斜視図である。
【図２】本考案の一実施形態による盆栽盆構造の分解斜視図である。
【図３】本考案の一実施形態による盆栽盆構造の断面図である。
【図４】本考案の一実施形態による盆栽盆構造の実用状態図一である。
【図５】本考案の一実施形態による盆栽盆構造の実用状態図二である。
【図６】本考案の第二実施例による盆栽盆構造の局部断面図である。
【図７】本考案の第三実施例による盆栽盆構造の局部断面図である。
【図８】本考案の第四実施例による盆栽盆構造の断面図である。
【図９】本考案の第五実施例による盆栽盆構造の分解図である。
【図１０】本考案の第五実施例による盆栽盆構造の断面図である。
【図１１】本考案の第六実施例による盆栽盆構造の分解図である。
【図１２】本考案の第六実施例による盆栽盆構造の断面図である。
【図１３】本考案の第六実施例による盆栽盆構造の他の局部断面図である。
【図１４】本考案の第七実施例による盆栽盆構造の分解図である。
【図１５】本考案の第七実施例による盆栽盆構造の実用状態図である。
【図１６】本考案の第八実施例による盆栽盆構造の分解図である。
【図１７】本考案の第八実施例による盆栽盆構造の断面図である。
【符号の説明】
【００３１】
１０  第一盆体
１１  収納室
１２  組合せ段
１２１  輪形てん材
１２２  当接縁
１３  排水孔
１３１  突縁
１３２  強化リブ
１３３  メスねじ
１４  支持縁
１４１  欠け口
１５  調整管
１６  当接板
１６１  貫通孔
２  本体
２０  第二盆体
２１  収納空間
２１１  階段
２１２  中間層
２１３  結合段
２１４  盆縁
２１５  当接面
２１６  貫通孔
２１７  嵌設孔
２２、２２０  カバー
２２１  カバー開口
２２２  定位リブ
２２３  支持ピン
２３  隙間
２４  ギャップ
【図１】
0003181899.tif 000003
【図２】
0003181899.tif 000004
【図３】
0003181899.tif 000005
【図４】
0003181899.tif 000006
【図５】
0003181899.tif 000007
【図６】
0003181899.tif 000008
【図７】
0003181899.tif 000009
【図８】
0003181899.tif 000010
【図９】
0003181899.tif 000011
【図１０】
0003181899.tif 000012
【図１１】
0003181899.tif 000013
【図１２】
0003181899.tif 000014
【図１３】
0003181899.tif 000015
【図１４】
0003181899.tif 000016
【図１５】
0003181899.tif 000017
【図１６】
0003181899.tif 000018
【図１７】
0003181899.tif 000019